(57)【要約】【課題】カバーゴムの剥離を熟練者でなくとも容易に行うことができ、且つ同時にスチールコードを接着ゴム層から剥離することができる、安全で取扱いの簡単なスチールコードベルトのカバーゴムとスチールコードの剥離方法および剥離装置を提供する。【解決手段】ベルトＢの先端部を、剥離用カッタ８と剥離用鋼線１１を有するコード剥離手段１５とを備え、ベルト長さ方向に移動する剥離装置本体１のベルト案内路Ｐに通し、あらかじめ剥離したカバーゴムＲ１と接着ゴム層Ｌとの境目部分に、剥離用カッタ８の刃先を当接させるとともに、あらかじめ露出したスチールコード１１の先端部分に剥離用鋼線１１を巻付け、その後、剥離用カッタ８の刃先が境目部分に切込む方向に、剥離装置本体１またはジョイント部Ｊの少なくとも一方を移動する。【選択図】    図１
2004238169.tif 000002
【特許請求の範囲】
【請求項１】
スチールコードベルトのジョイント作業において、ジョイント部の接着ゴム層とカバーゴムとの剥離と、前記接着ゴム層とスチールコードとの剥離とを同時に行う剥離方法であって、
まず、前記ジョイント部のベルト先端部のカバーゴムをベルト全幅に渡って剥離するとともに、前記接着ゴム層から前記スチールコードのコード先端部分を露出させ、
前記ベルト先端部を、剥離用カッタと剥離用鋼線を有するコード剥離手段とを備え、ベルト長さ方向に移動する剥離装置本体のベルト案内路に通し、
前記剥離したカバーゴムと接着ゴム層との境目部分に、前記剥離用カッタの刃先を当接させるとともに、前記剥離用鋼線を露出した前記スチールコードの先端部分に巻付け、
その後、前記剥離用カッタの刃先が前記境目部分に切込む方向に、前記剥離装置本体または前記ジョイント部の少なくとも一方を移動することを特徴とするスチールコードベルトのカバーゴムとスチールコードの剥離方法。
【請求項２】
スチールコードベルトのジョイント作業において、ジョイント部の接着ゴム層とカバーゴムとの剥離と、前記接着ゴム層とスチールコードとの剥離とを同時に行う剥離装置であって、
この剥離装置は、前記接着ゴム層とカバーゴムとを剥離する剥離用カッタと、前記接着ゴム層とスチールコードとを剥離するコード剥離手段と、これらを支持しつつ、前記ジョイント部に案内されてベルト長さ方向に移動可能な装置本体を具備し、
この装置本体は、前記ジョイント部が通されるベルト案内路と、このベルト案内路の両側に設けられている一対の案内用側板とを有しており、
前記剥離用カッタは、刃先を前記装置本体の移動方向に向けるとともに、前記ベルト案内路内の前記ジョイント部の接着ゴム層上面に近接するように、前記一対の案内用側板に支持され、
前記コード剥離手段は、前記剥離用カッタの刃先より後側で、前記一対の案内用側板に支持されている鋼線取付具と、この鋼線取付具に繋止され前記スチールコードに巻付け可能な長さを有する剥離用鋼線とを備えていることを特徴とするスチールコードベルトのカバーゴムとスチールコードの剥離装置。
【請求項３】
前記案内用側板が、前記装置本体に上下に移動可能に取付けられていることを特徴とする請求項２記載のスチールコードベルトのカバーゴムとスチールコードの剥離装置。
【発明の詳細な説明】
【０００１】
【発明の属する技術分野】
本発明は、コンベヤベルトや伝導ベルト等のスチールコード入りベルトをジョイントする際に、ジョイント部分の接着ゴム層とカバーゴムとの剥離と、前記接着ゴム層とスチールコードの剥離とを同時に行うことができるスチールコードベルトのカバーゴムとスチールコードの剥離方法と剥離装置とに関するものである。
【０００２】
【従来の技術】
一般的に、高張力が要求されるコンベヤベルトや伝導ベルト等に用いられているスチールコード入りのベルト（以下、単にＳＴベルトともいう）は、直径２．０〜１２．０ｍｍの複数のスチールコードを、同一平面内でベルト長さ方向に等間隔で並べ、これらをゴムで被覆したものである。その断面をベルト長さ方向から見た斜視図を図５に示す。スチールコードは、上面と下面のカバーゴムＲ１，Ｒ２の間の接着ゴム層Ｌに埋設された状態となっている。
【０００３】
このようなＳＴベルトは、その端部を繋ぎ合わせて長尺としたり、また無端ベルトとして使用される。このＳＴベルトを繋ぎ合わせる作業をジョイント作業といい、次のように行われている。
【０００４】
まず、ジョイント部（ベルト端部であって他のベルト端部とジョイントする部分をいう）の上面カバーゴムを接着ゴム層から剥離し、その接着ゴム層に埋設されているスチールコードを露出させる。なお、一方のジョイント部は下面カバーゴムも除去しておく。このようにスチールコードＳを露出したジョイント部Ｊ同士を、図６に示すようにして突き合わせ、一方のスチールコードＳが他方のスチールコードＳの間に入るようにし、その上に生ゴムを被せて加硫することでベルト端部同士を繋ぎ合わせる。
【０００５】
上記のようなジョイント作業において、スチールコードを露出させるには、以下のような方法がとられている。
【０００６】
▲１▼端部において上面カバーゴムと接着ゴム層との間にナイフ等で切り目を入れ、上面カバーゴムをわずかに剥がした後に、その剥がした上面カバーゴムにクランプ等を挟み込んで固定する。そして、上面カバーゴムをめくるようにして、ウインチ等の牽引装置でクランプを引張りつつ、図７に示すように、上面カバーゴムと接着ゴム層との間にナイフ等の刃物を入れて、上面カバーゴムと接着ゴム層とを剥離していく。このようにして、ジョイント部の上面カバーゴムを全て除去する。
【０００７】
▲２▼このジョイント部の下面カバーゴムも▲１▼と同じように剥離した後に、接着ゴム層のスチールコード間のゴムをナイフ等でカットしてスチールコードを露出させる。
【０００８】
しかしながら、スチールコード入りのベルトは厳しい条件のもとで使用されるためゴムについても高い剛性を持たせてあり、上述のようにナイフ等を用いて手作業でスチールコードの露出を行うことは困難な場合があった。そこで、出願人はスチールコードを接着ゴム層から簡単に剥離できるスチールコードの露出方法について発明し既に開示している。
【０００９】
その除去方法は、ベルト先端から、ジョイント部の長さに応じた位置に、ベルト幅の方向に連続する切開部をベルトの全幅にわたって設ける。この切開部はナイフ等によりゴムのみが所定の幅で除去されたものでスチールコードが露出した状態となっている。その露出したスチールコードにそれぞれピアノ線を一重巻に巻きつけた後、これらのピアノ線の両端をベルト幅の方向に長さを有する牽引治具に固定する。そして、牽引治具をベルト先端に向かって牽引することにより、スチールコードに巻きついたピアノ線が上面および側面カバーゴムを切裂きながらスチールコードに沿ってスライドし、接着ゴム層とスチールコードとが剥離される。こうして、スチールコードが露出した状態となるのである。
【００１０】
この方法を用いれば、接着ゴム層からスチールコードを簡単に露出させることができる。しかも、露出されたスチールコードは外周面にゴムの付着がほとんどなく、ほぼ円形の断面形状となっているため、形を整えたりする手間を省くことができ、ジョイント作業を少ない労力と時間で行うことができるのである。（例えば、特許文献１参照）。
【００１１】
【特許文献１】
特許第１２６９２５０号明細書
【００１２】
【発明が解決しようとする課題】
しかしながら上記の方法においても、上面カバーゴムの厚みが厚くピアノ線で切裂くことが困難な場合には、あらかじめ上面カバーゴムを上記▲１▼のような方法で除去しておかなければならない。このような作業はナイフ等の刃物を用いて手作業で行われているため、熟練者でなければ上面カバーゴムをうまく剥離できない場合があり、ジョイント作業に多くの時間がかかることがある。また、刃物を持って作業するため怪我をし易いという安全面の問題もある。
【００１３】
本発明はこれらの問題点に鑑みてなされたもので、カバーゴムの剥離を熟練者でなくとも容易に行うことができ、なお且つ同時にスチールコードを接着ゴム層から剥離することができる、安全で取扱いの簡単なスチールコードベルトのカバーゴムとスチールコードの剥離方法および剥離装置を提供することを目的としている。
【００１４】
【課題を解決するための手段】
上記の課題を解決するために、請求項１に記載のスチールコードのカバーゴムとスチールコードの剥離方法は、スチールコードベルトのジョイント作業において、ジョイント部の接着ゴム層とカバーゴムとの剥離と、前記接着ゴム層とスチールコードとの剥離とを同時に行う剥離方法であって、
まず、前記ジョイント部のベルト先端部のカバーゴムをベルト全幅に渡って剥離するとともに、前記接着ゴム層から前記スチールコードのコード先端部分を露出させ、
前記ベルト先端部を、剥離用カッタと剥離用鋼線を有するコード剥離手段とを備え、ベルト長さ方向に移動する剥離装置本体のベルト案内路に通し、
前記剥離したカバーゴムと接着ゴム層との境目部分に、前記剥離用カッタの刃先を当接させるとともに、前記剥離用鋼線を露出した前記スチールコードの先端部分に巻付け、
その後、前記剥離用カッタの刃先が前記境目部分に切込む方向に、前記剥離装置本体または前記ジョイント部の少なくとも一方を移動することを特徴としている。
【００１５】
このような請求項１のスチールコードのカバーゴムとスチールコードの剥離方法によれば、前記剥離用カッタと前記コード剥離手段とを一体的に設けた前記剥離装置本体または前記ジョイント部の少なくとも一方を、前記剥離用カッタの刃先が前記境目部分に切込む方向に動かす。
【００１６】
つまり、前記剥離装置を固定し、前記ジョイント部を前記剥離用カッタの刃先の向きとは反対方向に移動するか、前記ジョイント部を固定し、前記剥離装置を前記剥離用カッタの刃先の向きと同じ方向に移動するか、また前記剥離装置と前記ジョイント部とを互いに逆向きとなる方向に移動する。
【００１７】
これにより前記剥離用カッタで前記接着ゴム層とカバーゴムとを剥離すると同時に、前記剥離用鋼線で前記接着ゴム層とスチールコードとの剥離を行うことができる。
【００１８】
上記の課題を解決するために、請求項２に記載のスチールコードベルトのカバーゴムとスチールコードの剥離装置は、スチールコードベルトのジョイント作業において、ジョイント部の接着ゴム層とカバーゴムとの剥離と、前記接着ゴム層とスチールコードとの剥離とを同時に行う剥離装置であって、
この剥離装置は、前記接着ゴム層とカバーゴムとを剥離する剥離用カッタと、前記接着ゴム層とスチールコードとを剥離するコード剥離手段と、これらを支持しつつ、前記ジョイント部に案内されてベルト長さ方向に移動可能な装置本体を具備し、
この装置本体は、前記ジョイント部が通されるベルト案内路と、このベルト案内路の両側に設けられている一対の案内用側板とを有しており、
前記剥離用カッタは、刃先を前記装置本体の移動方向に向けるとともに、前記ベルト案内路内の前記ジョイント部の接着ゴム層上面に近接するように、前記一対の案内用側板に支持され、
前記コード剥離手段は、前記剥離用カッタの刃先より後側で、前記一対の案内用側板に支持されている鋼線取付具と、この鋼線取付具に繋止される前記スチールコードに巻付け可能な長さを有する剥離用鋼線とを備えていること特徴としている。
【００１９】
このような請求項２のスチールコードベルトのカバーゴムとスチールコードの剥離装置によれば、前記装置本体を前記ジョイント部に沿ってベルトの長さ方向に移動させるだけで、前記ジョイント部のカバーゴムを剥離すると同時に、前記接着ゴム層から前記スチールコードを剥離することができる。
【００２０】
つまり、前記ＳＴベルトの先端部において、あらかじめ前記カバーゴムをベルト全幅に渡って剥離するとともに、前記スチールコードの先端部を前記接着ゴム層から露出させた前記ジョイント部を、前記装置本体のベルト案内路に通すと、前記剥離用カッタの刃先は、剥離された前記カーバーゴムと接着ゴム層との境目部分に当接する。また、露出している前記スチールコードの先端部には、前記コード剥離手段の剥離用鋼線が巻付けられる。
【００２１】
この状態で前記装置本体を、ベルト長さ方向であって前記ＳＴベルトの先端部と反対方向に移動させると、前記剥離用カッタにより前記接着ゴム層とカバーゴムとが剥離されると同時に、前記スチールコードに沿ってスライドする前記コード剥離手段の剥離用鋼線によって、前記接着ゴム層とスチールコードとが剥離されるのである。
【００２２】
なお、ベルト幅が広い場合には、前記ジョイント部をベルト長さ方向に複数本の切り目を入れて分割し、その分割片ごとに前記ベルト案内路に通すようにしても良い。
【００２３】
また請求項３に記載したように、前記案内用側板を前記装置本体に、上下に移動可能に取付けることもできる。このようにすれば、ベルトの厚みに応じて前記剥離用カッタの高さを容易に変更することができるようになる。
【００２４】
【発明の実施の形態】
本発明にかかるスチールコードベルトのカバーゴムとスチールコードの剥離方法および剥離装置の実施形態について図１〜４に基づいて以下に説明する。
【００２５】
図１および図３に示すように、スチールコードベルトのカバーゴムとスチールコードの剥離装置１は、カバーゴムＲと接着ゴム層Ｌとを剥離する剥離用カッタ８と、接着ゴム層ＬとスチールコードＳとを剥離するコード剥離手段１５とを支持している装置本体２を具備している。措置本体２は、ＳＴベルトＢのジョイント部Ｊが通されるベルト案内路Ｐが設けられており、ジョイント部Ｊに案内されてベルト長さ方向に移動可能となっている。
【００２６】
装置本体２のベース部３は、ベルト案内路Ｐ方向に長い略長方形の底板３ａの両側端部に沿って、横長の略長方形の側板３ｂがそれぞれ立設されており、装置本体２の移動方向（図中右方向）側の一端部が横板３ｃで繋がれている。両側板３ｂには、その長手方向の前後に、ベルト受ローラ４がそれぞれ取付けられており、ベルト受ローラ４は側面から見て、その上部が側板３ｂの上端よりも上側に突出した状態で支持されている。
【００２７】
ベース部３の両側には、案内用側板５がそれぞれ配置されており、これらは幅２００ｍｍ程度のベルトを通すことができる間隔を有している。これらの案内用側板５はベルト案内路Ｐの両側に位置している。各案内用側板５は、ベース部３の側板３ｂの長さよりも短い約１／３程度の幅を有した上側部分５ａと、その幅の約２倍の長さを有する長方形状の下側部分５ｂとからなり、上側部分５ａと下側部分５ｂとは一体で形成されている。
【００２８】
各下側部分５ｂには、２つの上下方向の長穴５ｃが所定の間隔を設けて形成されている。各長穴５ｃに、座金６を取付けた六角穴付ボルト７をそれぞれ通し、これらの六角穴付ボルト７をベース部３の側板３ｂに形成されているネジ穴（図示せず）に締め込む。このようにして、各案内用側板５はその高さを上下に調節できるように、ベース部３に取付けられている。
【００２９】
各案内用側板５の上側部分５ａの中央部分には、側方から見て、装置本体２の移動方向であって、且つ斜め下方に向かって徐々に先細りとなるような略三角形状のカッタ取付孔５ｄが形成されている。これらのカッタ取付孔５ｄに、長辺側の一端部に刃が形成されている長方形状の剥離用カッタ８が、刃先を装置本体２の移動方向に向けた状態で挿通され、その両端部を各カッタ取付孔５ｄでそれぞれ支持させた状態で取付けられている。このように取付けられている剥離用カッタ８は、刃先がベルト案内路Ｐ内にあるジョイント部Ｊの接着ゴム層Ｌの上面に近接するようになっている。
【００３０】
各案内用側板５の上端部、つまり上側部分５ａの上端部には、装置本体２の移動側側とその反対側との端部に、口を向かい合わせた状態でフック状の係止部５ｅ，５ｆがそれぞれ形成されている。
【００３１】
そして、本体装置２の移動方向側にある各係止部５ｅに、ウインチ等の牽引装置のフックＦを取付け可能なリング部９を備えた連結バー１０の両端部がそれぞれ係合されている。リング部は連結バー１０の中間部分の外周部に溶接されている。連結バー１０の両端部は段落としされて径が小さく形成されているため、その段差によって横方向へずれることがなく、連結バー１０が不用意に外れない構造となっている。
【００３２】
一方、係止部５ｅの反対側にある各係止部５ｆには、コード剥離手段１５の鋼線取付具である取付バー１２の両端部が係合されている。これらの両端部は、連結バー１０と同じように段落としされているため、取付バー１２が不用意に外れない構造となっている。
【００３３】
取付バー１２の中間部分には、軸と直交するようにして複数の貫通穴（図示せず）が形成されており、これらの各貫通穴の一方から、ネジ部１３ａが設けられているフック１３の基端側を貫通させ、突出したネジ部１３ａにナット１４を締め込むことで、これらのフック１３を取付バー１２に取付けている。このようにして取付けられている各フック１３には、リング状の剥離用鋼線（ピアノ線）１１がそれぞれ繋止されている。
【００３４】
また、上側部分５ａの一方の側端部（本体装置２の移動方向側）は、端に向かう程その厚みが薄くなるように形成されている。これにより、ジョイント部Ｊを、ＳＴベルトＢの長さ方向に切り目を入れて複数に分割している場合、その切れ目の間を案内用側板５が通り易くなるため、装置本体２の移動をスムーズに行うことができる。
【００３５】
次に、このような剥離装置１を用いてＳＴベルトＢのジョイント部ＪのカバーゴムＲ１とスチールコードＳとを剥離する方法について説明する。あらかじめジョイント部Ｊを、両案内用側板５の内幅に応じた間隔でベルト長さ方向にカットし、複数本の分割片Ｃに分割する。なお、本実施例の場合、分割片Ｃの幅は約２００ｍｍとしている。
【００３６】
分割片Ｃの一つを、その先端部において上面のカバーゴムＲ１と接着ゴム層Ｌとを全幅に渡って剥離するとともに、カバーゴムＲ１を剥離した部分の接着ゴム層Ｌのゴムをナイフ等の刃物を用いてカットし、埋設されているスチールコードＳの先端部分を露出させる。
【００３７】
このような前準備を行った分割片Ｃを、装置本体２のベルト案内路Ｐ内に通す。このとき、あらかじめ案内用側板５の高さ調節を行うことで、剥離用カッタ８の刃先とベルト受ローラ４の上端との隙間を調整し、剥離用カッタ８の刃先がベルト案内路Ｐ内にある分割片Ｃの接着ゴム層Ｌの上面に近接するように調整を行っておく。
【００３８】
そして、あらかじめ剥離されたカバーゴムＲ１と接着ゴム層Ｌとの境目部分に、剥離用カッタ８の刃先を当接させるとともに、接着ゴム層Ｌから露出された各スチールコードＳの先端部分に、コード剥離手段１５の剥離用鋼線１１をそれぞれ一重巻に巻きつける。
【００３９】
こうしてベルト案内路Ｐに通された分割片Ｃの先端部を、装置本体２とは別体でもうけられているクランプ等（図示せず）により挟み込んで固定する。その後、装置本体２のリング部９に、ワイヤＷを繰出したウインチ（図示せず）のフックＦを掛ける。このウインチはＳＴベルトＢの先端部と反対側に配置され、ワイヤＷをＳＴベルトＢの上面に沿うようにして引張ることができるように設置されている。
【００４０】
ウインチを駆動してゆっくりとワイヤＷを巻き取っていくと、装置本体２はウインチに引張られ、分割片Ｃの先端部と反対方向に、且つ分割片Ｃに沿って移動する。このとき、装置本体２のベース部３にベルト受ローラ４が設けられているため、装置本体２は分割片Ｃに沿ってスムーズに移動する。
【００４１】
装置本体２が移動すると、分割片Ｃは第１段階として、接着ゴム層ＬとカバーゴムＲ１との境目部分に切込んだ剥離用カッタ８により、分割片ＣのカバーゴムＲ１と接着ゴム層Ｌとが剥離される。剥離されたカバーゴムＲ１は、連結バー１０と取付バー１２との間を抜けて装置本体２の外へ送り出される。  次に第２段階として、図４に示すように、剥離用カッタ８の後側にあるコード剥離手段１５の剥離用鋼線１１により、接着ゴム層ＬとスチールコードＳとが剥離される。これは装置本体２の移動に伴って剥離用鋼線１１が引張られることにより、剥離用鋼線１１のスチールコードＳに巻付けた部分が、スチールコードＳに沿ってスライドし、周りのゴムをカットするカッタのような働きをするからである。
【００４２】
このように装置本体２は、移動方向の前方ではカバーゴムＲ１の剥離を行い、後方では接着ゴム層ＬとスチールコードＳとの剥離を行うというように、２つの剥離作業を同時に行いならが移動しているのである。
【００４３】
装置本体２を、ジョイント部Ｊの長さに応じた距離を移動させた後、剥離したカバーゴムＲ１をカットして取除く。必要であれば残った接着ゴム層Ｌと下面のカバーゴムＲ２とをカットして取り除く。
【００４４】
上述のような作業を各分割片Ｃに対して行い、ジョイント部ＪのカバーゴムＲ１，Ｒ２を全て除去するとともに、ジョイント部Ｊの全スチールコードＳを露出させる。
【００４５】
ＳＴベルトが、カバーゴムと接着ゴム層との間に、補強用の帆布などを配してブレーカー層が設けられている場合には、このブレーカー層と接着ゴム層との間に、剥離用カッタの刃先が位置するように案内用側板５を調整し、接着ゴム層から、ブレーカー層とカバーゴムとを一緒に剥離するようにしても良い。
【００４６】
なお、本実施例ではＳＴベルト側を固定した状態で、本体装置を移動させているが、それとは反対に、本体装置を固定しＳＴベルト側を移動させるようにして、剥離作業を行うこともできる。このようにすれば、本体装置を持ち運びし易いように小型化しなくても良く、両案内用側板の間隔を広げることができるので、幅の広いＳＴベルトのジョイント部を分割することなく剥離作業を行える剥離装置とすることができる。
【００４７】
【発明の効果】
本発明のスチールコードベルトのカバーゴムとスチールコードの剥離方法を用いれば、
１）作業者が熟練者でなくとも、ジョイント部のカバーゴムの剥離を簡単に行うことができ、しかも、同時に接着ゴム層からスチールコードを剥離することができるので、作業効率が向上し作業時間を大幅に短縮することができる。
【００４８】
従って、特にジョイント箇所が多い場合には、作業時間を従来に比べてかなり短縮することができるので、大幅な経費の削減を図ることができる。また、作業者はナイフ等の刃物を持って作業しなくても良いため、作業の安全性の改善を図ることができる。
【００４９】
本発明のスチールコードベルトのカバーゴムとスチールコードの剥離装置を用いれば、
２）装置本体のベルト案内路にＳＴベルトのジョイント部を通し、ベルト長さ方向に移動させることにより、接着ゴム層とカバーゴムとの剥離と、接着ゴム層とスチールコードとの剥離とを行うことができるので、ナイフ等を使用する場合に比べて安全で、取扱いも非常に簡単である。しかも、これらの剥離作業を同時に行うことができるので作業効率が向上し、べルトのジョイントにかかる時間を短縮することができる。
【００５０】
３）剥離用カッタを支持している案内用側板を上下に移動することで、簡単に剥離用カッタの高さ調整ができるので、様々な厚みのベルトに対して即座に対応することができ、作業時間の短縮を図ることができる。
【図面の簡単な説明】
【図１】本発明にかかるスチールコードベルトのカバーゴムとスチールコードの剥離装置の実施例を示す斜視図である。
【図２】本発明にかかるスチールコードベルトのカバーゴムとスチールコードの剥離装置の実施例を示す平面図である。
【図３】本実施例の使用形態を示すベルト案内路方向の縦断面の概略図である。
【図４】図３におけるＡ部におけるスチールコードの剥離状態を示す説明図である。
【図５】ＳＴベルトの長さ方向から見た斜視図である（一部断面を含む）。
【図６】ＳＴベルトのジョイント部分を示す平面図である。
【図７】従来のジョイント作業における、ジョイント部のカバーゴムの剥離方法を示す説明図である。
【符号の説明】
１  剥離装置
２  装置本体
５  側板
８  剥離用カッタ
１１  鋼線
１２  取付バー
１５  コード剥離手段
Ｂ  ＳＴベルト
Ｊ  ジョイント部
Ｌ  接着ゴム層
Ｐ  ベルト案内路
Ｒ１  上面のカバーゴム
Ｒ２  下面のカバーゴム
Ｓ  スチールコード
【図１】
2004238169.tif 000003
【図２】
2004238169.tif 000004
【図３】
2004238169.tif 000005
【図４】
2004238169.tif 000006
【図５】
2004238169.tif 000007
【図６】
2004238169.tif 000008
【図７】
2004238169.tif 000009